(57)【要約】【課題】実施例は、モバイルデバイスのための装置、方法およびコンピュータプログラムに関する。【解決手段】装置（１０）は送受信機モジュール（１２）を含み、このモジュールは、第１の移動通信システム内および第２の移動通信システム内において通信するように構成されている。装置（１０）はさらにコントロールモジュール（１４）を含み、このモジュールは、モバイルデバイス（１００）の次の貯蔵エネルギー補充予測時点までの期間が時間閾値よりも長いか否かを判定するように構成されている。コントロールモジュール（１４）はさらに、この期間が時間閾値よりも長ければ、データ伝送のために第１の移動通信システムを使用するように構成されている。コントロールモジュール（１４）はさらに、モバイルデバイス（１００）の次の貯蔵エネルギー補充時点においてまたはそれよりも前に、第２の移動通信システムとのコネクションが使用可能であれば、データ伝送のために第２の移動通信システムを使用するように構成されている。【選択図】図１
2018148559.tif 000002
【特許請求の範囲】
【請求項１】
モバイルデバイス（１００）のための装置（１０）であって、前記装置は、
第１の移動通信システム内および第２の移動通信システム内において通信するように構成された送受信機モジュール（１２）と、
コントロールモジュール（１４）と、
を含み、前記コントロールモジュール（１４）は、
前記モバイルデバイス（１００）の次の貯蔵エネルギー補充予測時点までの期間が時間閾値よりも長いか否かを判定し、
前記期間が前記時間閾値よりも長ければ、データ伝送のために前記第１の移動通信システムを使用し、
前記モバイルデバイス（１００）の次の貯蔵エネルギー補充時点において、または、前記モバイルデバイス（１００）の次の貯蔵エネルギー補充時点よりも前に、前記第２の移動通信システムとのコネクションが使用可能であれば、データ伝送のために前記第２の移動通信システムを使用する、
ように構成されている、
モバイルデバイス（１００）のための装置（１０）。
【請求項２】
前記コントロールモジュール（１４）はさらに、
前記モバイルデバイス（１００）が、前記次の貯蔵エネルギー補充予測時点に、前記第２の移動通信システムのカバーエリア内に位置している確率が確率閾値よりも小さいか否かを判定するように構成されており、
前記コントロールモジュールはさらに、前記確率が前記確率閾値よりも小さければ、データ伝送のために前記第１の移動通信システムを使用するように構成されている、
請求項１記載の装置（１０）。
【請求項３】
前記コントロールモジュール（１４）は、前記モバイルデバイス（１００）のポジションを特定するように構成されており、前記コントロールモジュール（１４）は、前記モバイルデバイス（１００）のポジションに基づき、前記モバイルデバイス（１００）の次の貯蔵エネルギー補充予測時点までの前記期間が前記時間閾値よりも長いか否かを判定するように構成されており、
および／または、
前記コントロールモジュール（１４）は、前記モバイルデバイスの直前の貯蔵エネルギー補充時点以降の別の期間に基づき、前記モバイルデバイス（１００）の次の貯蔵エネルギー補充予測時点までの前記期間が前記時間閾値よりも長いか否かを判定するように構成されており、
および／または、
前記コントロールモジュール（１４）は、前記モバイルデバイス（１００）のエネルギー消費量に基づき、前記モバイルデバイス（１００）の次の貯蔵エネルギー補充予測時点までの前記期間が前記時間閾値よりも長いか否かを判定するように構成されている、
請求項１または２記載の装置（１０）。
【請求項４】
前記モバイルデバイス（１００）の貯蔵エネルギーの補充は、電気エネルギー、液体燃料、ガソリン、ディーゼル、天然ガス、液化石油ガス、または、水素による貯蔵エネルギーの補充に相当する、
請求項１から３までのいずれか１項記載の装置。
【請求項５】
前記モバイルデバイス（１００）は、車両に相当し、
または、
前記モバイルデバイス（１００）は、移動電話、プログラミング可能な移動電話、プログラミング可能な時計、または、タブレットコンピュータに相当する、
請求項１から４までのいずれか１項記載の装置。
【請求項６】
前記コントロールモジュール（１４）はさらに、車両において見込まれる次の車両点検までの別の期間が前記時間閾値よりも長いか否かを判定するように構成されており、前記コントロールモジュール（１４）は、前記期間および前記別の期間が前記時間閾値よりも長ければ、データ伝送のために前記第１の移動通信システムを使用するように構成されている、
請求項５記載の装置。
【請求項７】
前記第１の移動通信システムは、セルラ移動無線システムに相当し、前記第２の移動通信システムは、ワイヤレスローカルネットワークに相当し、
および／または、
前記第１の移動通信システムは、比較的長い第１の到達距離を有する移動通信システムに相当し、前記第２の移動通信システムは、比較的短い第２の到達距離を有する移動通信システムに相当する、
請求項１から６までのいずれか１項記載の装置。
【請求項８】
前記データ伝送は、５０Ｍｂｙｔｅよりも大きいデータ容量を有するデータの伝送に相当し、
および／または、
前記データ伝送は、地図データ、前記モバイルデバイス（１００）のコンピュータプログラムのプログラムアップデート、前記モバイルデバイス（１００）のオペレーティングシステムのアップデート、ビッグデータ、および／または、メディアデータの伝送に相当する、
請求項１から７までのいずれか１項記載の装置。
【請求項９】
モバイルデバイス（１００）のための方法であって、前記方法は、
前記モバイルデバイス（１００）の次の貯蔵エネルギー補充予測時点までの期間が時間閾値よりも短いか否かを判定すること（１１０）、
前記期間が前記時間閾値よりも長ければ、データ伝送のために第１の移動通信システムを使用すること（１２０）、
前記モバイルデバイス（１００）の次の貯蔵エネルギー補充時点において、または、前記モバイルデバイス（１００）の次の貯蔵エネルギー補充時点よりも前に、第２の移動通信システムとのコネクションが使用可能であれば、データ伝送のために前記第２の移動通信システムを使用すること（１３０）、
を含む、モバイルデバイス（１００）のための方法。
【請求項１０】
コンピュータ、プロセッサ、コントロールモジュール、または、プログラミング可能なハードウェア構成部品において実行されるときに、請求項９記載の方法を実施するためのプログラムコードを含むプログラム。
【発明の詳細な説明】
【技術分野】
【０００１】
実施例は、モバイルデバイスのための装置、方法およびコンピュータプログラムに関するものであり、さらに詳しくは、ただし、以下に限られるものではないが、データ伝送のために第１の移動通信システムまたは第２の移動通信システムの使用を制御する装置に関する。
【背景技術】
【０００２】
大量のデータをモバイルデバイスへまたはモバイルデバイスから伝送することは、ユーザおよび開発者にとってジレンマとなることが多い。データ伝送を多くの場所で実施するために、たとえばＬｏｎｇ  Ｔｅｒｍ  Ｅｖｏｌｕｔｉｏｎ（ＬＴＥ）またはＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）などのようなセルラ移動無線システムを利用することができる一方で、これらのセルラ移動無線システムの多くは、限られた数の通信リソースを多数のユーザがシェアするように構想されており、その結果として、個々のユーザにとっては、この種の移動無線システムの伝送容量が低減される可能性がある。さらに、この種の移動無線システムを介して大量のデータを伝送するためには、しばしば高いコストがかかる。この代替として、たとえばワイヤレスローカルネットワーク（英語では、Ｗｉｒｅｌｅｓｓ  Ｌｏｃａｌ  Ａｃｃｅｓｓ  Ｎｅｔｗｏｒｋｓ，ＷＬＡＮとも称する）を利用することもできるが、このネットワークの可用性は局所的に制限されている可能性がある。
【０００３】
米国特許出願公開第２０１０／０２７３４８６号明細書（２０１０／０２７３４８６Ａ１）には、第１の移動通信システム（たとえば基地局）と第２の移動通信システム（たとえばワイヤレスアクセスポイント、英語では、Ｗｉｒｅｌｅｓｓ  Ａｃｃｅｓｓ  Ｐｏｉｎｔとも称する）とにおいて通信を行い、個々の通信のために残存バッテリ有効時間を算出するように構成されたモバイルデバイスが示されている。デバイスのユーザは、この予測に基づき、いずれの移動通信システムを通信に利用すべきであるのか判定することができる。しかしながら、この出願には、次の貯蔵エネルギー補充予測時点を特定して、次の充電予測時点に基づきデータ伝送を実施することは、開示されていない。
【０００４】
独国特許出願公開第１０２０１００３０２２４号明細書（ＤＥ１０２０１００３０２２４Ａ１）には、たとえば移動無線コネクションまたはワイヤレスアクセスポイントを介して、通信ユニットと車両との間でデータ伝送を行う装置が開示されている。このようなデータ交換において、データ交換をプラニングする目的で、通信インタフェースたとえばモバイルデバイスのたとえばエネルギー状態を考慮することができる。しかしながら、この出願には、通信インタフェースまたは車両の次の充電予測時点に基づきデータ伝送を実施することは、開示されていない。
【０００５】
独国特許出願公開第１０２０１５２０４３７３号明細書（ＤＥ１０２０１５２０４３７３Ａ１）には、自動車に液体燃料を補給する方法が開示されている。この方法によれば、液体燃料に加えて、車両と充電スタンドとの間のワイヤレス通信が形成される。
【０００６】
米国特許出願公開第２０１２／０１０６６７２号明細書（２０１２／０１０６６７２Ａ１）には、ネットワークコネクションポイント（たとえば電気自動車用の充電ステーション）を含むネットワークを介して、エネルギーサービスを提供する方法および充電アダプタが開示されている。充電ステーションにおける電気自動車のログインは、ワイヤレスネットワークを介して実施され、このことによって、送出されるエネルギーの引き替えとして電気自動車所有者の口座に借方記入することができる、ということが保証される。
【先行技術文献】
【特許文献】
【０００７】
【特許文献１】米国特許出願公開第２０１０／０２７３４８６号明細書
【特許文献２】独国特許出願公開第１０２０１００３０２２４号明細書
【特許文献３】独国特許出願公開第１０２０１５２０４３７３号明細書
【特許文献４】米国特許出願公開第２０１２／０１０６６７２号明細書
【発明の概要】
【発明が解決しようとする課題】
【０００８】
モバイルデバイスによるデータ伝送のために、改善されたコンセプトが必要とされている。
【課題を解決するための手段】
【０００９】
この要求は、独立請求項により考慮される。
【００１０】
実施例によれば、モバイルデバイスのための装置、方法およびコンピュータプログラムが提供される。たとえばモバイルデバイスを、車両、たとえば自動車またはオートバイとすることができ、あるいは、たとえば（プログラミング可能な）移動電話（英語ではＳｍａｒｔｐｈｏｎｅとも称する）またはタブレットコンピュータとすることができる。この装置を、モバイルデバイスの貯蔵エネルギーに基づいて、たとえば、補給所または家において充電ケーブルで貯蔵エネルギーがまもなく充填される見込みであるか否かを判定するように構成することができる。まもなく充填されるのであれば、データ伝送を延期して、その後、貯蔵エネルギーを補充する前に、または、補充するときに、ワイヤレスローカルネットワークを介して実施するように、装置を構成することができる。次の貯蔵エネルギー補充時点がまだずっと先のことであるならば、セルラ移動無線システム、たとえばＬＴＥまたはＵＭＴＳなどを介してデータ伝送を実施するように、装置を構成することができる。
【００１１】
実施例によれば、モバイルデバイスのための装置が提供される。この装置は、送受信機モジュールを含んでおり、このモジュールは、第１の移動通信システム内および第２の移動通信システム内において通信するように構成されている。この装置は、さらにコントロールモジュールを含んでおり、このモジュールは、モバイルデバイスの次の貯蔵エネルギー補充予測時点までの期間が時間閾値よりも長いか否かを判定するように構成されている。コントロールモジュールはさらに、この期間が時間閾値よりも長ければ、データ伝送のために第１の移動通信システムを使用し、モバイルデバイスの次の貯蔵エネルギー補充時点において、またはその時点よりも前に、第２の移動通信システムとのコネクションを使用できるのであれば、データ伝送のために第２の移動通信システムを使用するように、構成されている。
【００１２】
この装置によって、モバイルデバイスが是認できる期間内に第２の移動通信システムのカバーエリア内に位置しているか否かを考量して判定を下すことができる。つまり、このことを予期できないかぎりは、すぐに第１の移動通信システムを介してデータ伝送を実施することができ、さもなければコストを節約して、たとえば貯蔵エネルギー補充時などに第２の移動通信システムが使用可能になるのを待つことができる。
【００１３】
たとえば、モバイルデバイスが次の貯蔵エネルギー補充予測時点に第２の移動通信システムのカバーエリア内に位置している確率が、確率閾値よりも小さいか否かを判定するように、コントロールモジュールをさらに構成することができる。この確率が確率閾値よりも小さければ、データ伝送のために第１の移動通信システムを使用するように、コントロールモジュールをさらに構成することができる。確率関数によってさらに、モバイルデバイスが貯蔵エネルギー補充時に第２の移動通信システムのカバーエリア内に位置している確率を、算入することができる。
【００１４】
たとえば、モバイルデバイスのポジションを特定するように、コントロールモジュールを構成することができる。その際にモバイルデバイスのポジションに基づき、モバイルデバイスの次の貯蔵エネルギー補充予測時点までの期間が時間閾値よりも長いか否かを判定するように、コントロールモジュールを構成することができる。たとえば、モバイルデバイスがこのモバイルデバイスのエネルギー補充のために好ましい場所の近くまたはその場所へ向かう途上に位置しているか否かを確認するように、コントロールモジュールを構成することができる。
【００１５】
たとえば、モバイルデバイスの最後の貯蔵エネルギー補充時点以降の別の期間に基づき、モバイルデバイスの次の貯蔵エネルギー補充予測時点までの期間が時間閾値よりも長いか否かを判定するように、コントロールモジュールを構成することができる。したがって、たとえば、補充履歴に基づき、次の貯蔵エネルギー補充予測時点が（見込みでは）いつになるのかを推定するように、コントロールモジュールを構成することができる。
【００１６】
たとえば、モバイルデバイスのエネルギー消費量に基づいて、モバイルデバイスの次の貯蔵エネルギー補充予測時点までの期間が時間閾値よりも長いか否かを判定するように、コントロールモジュールを構成することができる。たとえば、エネルギー消費量に基づいて、および、貯蔵エネルギーに基づいて、次の貯蔵エネルギー補充予測時点が（見込みでは）いつになるのかを推定するように、コントロールモジュールを構成することができる。
【００１７】
たとえば、モバイルデバイスの貯蔵エネルギーの補充を、電気エネルギー、ガソリン／ディーゼル、天然ガス、液化石油ガス、または、水素による貯蔵エネルギーの補充に相当するものとすることができる。
【００１８】
たとえば、モバイルデバイスを、車両に相当するものとすることができる。車両の場合には、第２の移動通信システムが使用可能であるときに、または、期間が長すぎるならば、第１の移動通信システムを介して、たとえば走行中または駐車状態中に、たとえばオペレーティングシステムのアップデートまたは地図データをデータ伝送として実施することができる。
【００１９】
たとえば、車両において見込まれる次の車両点検までの別の期間が時間閾値よりも長いか否かを判定するように、コントロールモジュールをさらに構成することができる。前述の期間およびこの別の期間が時間閾値よりも長ければ、データ伝送のために第１の移動通信システムを使用するように、コントロールモジュールを構成することができる。したがって、たとえば、点検のために車両の滞留が予定されているならば、データ伝送を延期することができる。
【００２０】
別の選択肢として、モバイルデバイスを移動電話、プログラミング可能な移動電話、プログラミング可能な時計、または、タブレットコンピュータに相当するものとすることができる。移動電話を充電するときには、移動電話ユーザのワイヤレスホームネットワーク（ＷＬＡＮ）のカバーエリア内にその移動電話が位置していることが多い。
【００２１】
たとえば、第１の移動通信システムを、セルラ移動無線システムに相当するものとすることができる。第２の移動通信システムを、ワイヤレスローカルネットワークに相当するものとすることができる。たとえば、ワイヤレスローカルネットワークを介したデータ伝送によって、第１の移動無線システムの課金を低減することができ、いっそう高速なデータ伝送を実現することができ、データ伝送にかかるコストを削減することができる。
【００２２】
たとえば、第１の移動通信システムを、比較的長い第１の到達距離を有する移動通信システムに相当するものとすることができ、第２の移動通信システムを、比較的短い第２の到達距離を有する移動通信システムに相当するものとすることができる。
【００２３】
たとえば、データ伝送を、５０Ｍｂｙｔｅよりも大きいデータ容量を有するデータの伝送に相当するものとすることができる。データ容量の大きいデータ伝送を第２の移動通信システムを介して、たとえば、いっそう高い信頼性を伴っていっそう高速に実施することができる。
【００２４】
たとえば、データ伝送を、地図データ、モバイルデバイスのコンピュータプログラムのプログラムアップデート、モバイルデバイスのオペレーティングシステムのアップデート、ビッグデータ、および／または、メディアデータに相当するものとすることができる。
この種のデータ伝送は、大きいデータ容量を有することが多い。
【００２５】
実施例によればさらに、モバイルデバイスのための方法が提供される。この方法は、モバイルデバイスの次の貯蔵エネルギー補充予測時点までの期間が時間閾値よりも短いか否かを判定することを含んでいる。この方法はさらに、この期間が時間閾値よりも長ければ、データ伝送のために第１の移動通信システムを使用することを含んでいる。この方法はさらに、モバイルデバイスの次の貯蔵エネルギー補充時点において、または、その時点よりも前に、第２の移動通信システムとのコネクションを使用できるのであれば、データ伝送のために第２の移動通信システムを使用することを含んでいる。
【００２６】
実施例によればさらに、コンピュータ、プロセッサ、コントロールモジュール、または、プログラミング可能なハードウェア構成部品において実行されると既述の方法を実施するプログラムコードを含むプログラムが提供される。
【００２７】
以下では、図面に描かれた実施例に基づき、さらに別の有利な態様について詳しく説明する。ただし、実施例が全般的にそれらの実施例にそのまま限定されるものではない。
【図面の簡単な説明】
【００２８】
【図１】モバイルデバイスのための装置を示すブロック図である。
【図１ａ】モバイルデバイスのための対応する方法を示すフローチャートである。
【図２】車両のための例示的な装置を示すブロック図である。
【発明を実施するための形態】
【００２９】
次に、いくつかの実施例が描かれた添付の図面を参照しながら、種々の実施例について詳しく説明する。図中、線、層および／または領域の幅の寸法は、わかりやすくするため誇張して描かれている場合もある。
【００３０】
また、いくつかの例示的な実施例だけを示したにすぎない添付の図面を以下で説明するにあたり、同一の構成部品または同等の構成部品には同一の参照符号が付されている場合もある。さらに、１つの実施例中または１つの図面中に何度も現れるが、１つまたは複数の特徴について共通に説明する構成部品および対象物には、１つのまとまったグループであることを示す参照符号を用いている場合もある。さらに、同一の参照符号または１つのまとまったグループであることを示す参照符号を用いて説明する構成部品または対象物を、単独の特徴または複数の特徴あるいはすべての特徴に関して、たとえばそれらの仕様に関して、同じように構成することもできるが、何らかの別の趣旨が明示的または暗黙的に明細書から読み取れないかぎり、必要に応じてそれぞれ異なるように構成してもよい。
【００３１】
また、実施例を様々な態様で修正および変更することができるけれども、図面には具体例として実施例が描かれており、本明細書ではそれらの実施例について詳しく説明する。ただし、ここで明確に述べておくと、実施例をそれぞれ開示された形態に限定することは意図されておらず、実施例はむしろ、本発明の範囲に入るすべての機能的変更および／または構造的変更、等価物、代替物をカバーしようというものである。同一の参照符号は、図面の説明全体において同じまたは同等の要素を表す。
【００３２】
ここで留意したいのは、他の要素と「接続されている」または「結合されている」と表されたある要素は、他の要素と直接的に接続または結合されている場合もあるし、またはそれらの間に要素が存在している場合もある、ということである。これに対して、ある要素が他の要素と「直接的に接続されている」または「直接的に結合されている」と表されるときには、それらの間にいかなる要素も存在していない。要素と要素との間の関係を記述するために用いられる別の概念であっても、同様に解釈されたい（たとえば「の間に」と「直接的にそれらの間に」との対比、「に隣接して」と「直接的に隣接して」との対比など）。
【００３３】
本明細書において用いられる用語は、特定の実施例を説明する役割を果たすだけであり、それらの用語によって実施例が限定されるものではない。本明細書で用いられているように、単数形の不定冠詞（「１つの」）および定冠詞（「この」）は、文脈から他のことが明確に表されないかぎり、複数形も含むことになる。さらにここで明確に述べておくと、本明細書で用いられるたとえば「含む」、「含んでいる」、「有する」、「含有する」、「含有している」、および／または、「有している」などのような表現は、挙げられた特徴、整数、ステップ、ワークフロー、要素および／または構成部品が存在していることを表しているけれども、１つまたは複数の特徴、整数、ステップ、ワークフロー、要素、構成部品および／またはこれらから成るグループの存在または追加を排除するものではない。
【００３４】
また、別途定義されていないかぎり、本明細書で用いられるすべての概念は（技術的および学術的な概念を含め）、実施例に属する分野の当業者がそれらに認めているのと同じ意味をもつものである。さらにここで明確に述べておくと、たとえば、一般的に用いられている辞書において定義されている表現は、当該技術の文脈におけるそれらの意味と矛盾することのない意味を有するかのように解釈されるべきであり、本明細書で明確に定義されていないかぎり、理想化されたまたは過剰に形式的な意味合いで解釈されるべきではない。
【００３５】
図１には、モバイルデバイス１００のための装置１０のブロック図が示されている。この装置は送受信機モジュール１２を含んでおり、このモジュールは、第１の移動通信システム内および第２の移動通信システム内において通信するように構成されている。装置１０はさらにコントロールモジュール１４を含んでおり、このモジュールは、モバイルデバイス１００の次の貯蔵エネルギー補充予測時点までの期間が時間閾値よりも長いか否かを判定するように構成されている。コントロールモジュール１４はさらに、この期間が時間閾値よりも長ければ、（第１の送受信機モジュール１２を介した）データ伝送のために第１の移動通信システムを使用し、モバイルデバイス１００の次の貯蔵エネルギー補充時点においてまたはその時点よりも前に、第２の移動通信システムとのコネクションを使用できるのであれば、データ伝送のために第２の移動通信システムを使用するように、構成されている。
【００３６】
図１ａには、モバイルデバイス１１０のための対応する方法のフローチャートが示されている。この方法は、モバイルデバイス１００の次の貯蔵エネルギー補充予測時点までの期間が時間閾値よりも短いか否かを判定すること１１０を含んでいる。この方法はさらに、この期間が時間閾値よりも長ければ、データ伝送のために第１の移動通信システムを使用すること１２０を含んでいる。この方法はさらに、モバイルデバイス１００の次の貯蔵エネルギー補充時点においてまたはその時点よりも前に、第２の移動通信システムとのコネクションを使用できるのであれば、データ伝送のために第２の移動通信システムを使用すること１３０を含んでいる。以下の説明は、装置１０にもモバイルデバイス１００のための対応する方法にも適用可能である。
【００３７】
たとえば、モバイルデバイス１００を、車両（または車両の情報システム）、移動電話、プログラミング可能な移動電話、プログラミング可能な時計、または、タブレットコンピュータに相当するものとすることができる。
【００３８】
たとえば、第１の移動通信システムを、比較的長い第１の到達距離を有する移動通信システムに相当するものとすることができる。たとえば、第１の移動通信システムは、１００ｍよりも長い（または２００ｍよりも長い、５００ｍよりも長い、１ｋｍよりも長い）半径の（第１の移動通信システムの１つのセルの）カバーエリアを有することができる。第２の移動通信システムを、比較的短い第２の到達距離を有する移動通信システムに相当するものとすることができる。たとえば、第２の移動通信システムを、１００ｍよりも短い（または５０ｍよりも短い、２０ｍよりも短い）半径の（第２の移動通信システムの１つのアクセスポイントの）１つのカバーエリアに相当するものとすることができる。たとえば、１つのカバーエリアを、１つの移動通信システムの１つの基地局周囲のエリアに相当するものとすることができ、このエリア内では基地局の信号強度によって、モバイルデバイス１００への伝送時に基地局の最大データ伝送速度の少なくとも１０％を実現させることができる。
【００３９】
たとえば、第１の移動通信システムを、セルラ移動無線システムに相当するものとすることができる。たとえば、第１の移動通信システムを、Ｇｌｏｂａｌ  Ｓｙｓｔｅｍ  ｆｏｒ  Ｍｏｂｉｌｅ  ｔｅｌｅｃｏｍｍｕｎｉｃａｔｉｏｎｓ（ＧＳＭ），Ｇｅｎｅｒａｌ  Ｐａｃｋｅｔ  Ｒａｄｉｏ  Ｓｅｒｖｉｃｅ（ＧＰＲＳ），Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ），Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ），Ｌｏｎｇ  Ｔｅｒｍ  Ｅｖｏｌｕｔｉｏｎ、第５世代（５Ｇ）移動無線システム、および、将来の標準に準拠した移動無線システムから成るグループのセルラ移動通信システムに相当するものとすることができる。さらに、送受信機モジュール１２を、Ｇｌｏｂａｌ  Ｓｙｓｔｅｍ  ｆｏｒ  Ｍｏｂｉｌｅ  ｔｅｌｅｃｏｍｍｕｎｉｃａｔｉｏｎｓ（ＧＳＭ），Ｇｅｎｅｒａｌ  Ｐａｃｋｅｔ  Ｒａｄｉｏ  Ｓｅｒｖｉｃｅ（ＧＰＲＳ），Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ），Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ），  Ｌｏｎｇ  Ｔｅｒｍ  Ｅｖｏｌｕｔｉｏｎ、第５世代（５Ｇ）移動無線システム、および、将来の標準に準拠した移動無線システムから成るグループの少なくとも１つのセルラ移動通信システム内で通信するように、構成することができる。
【００４０】
第２の移動通信システムを、ワイヤレスローカルネットワーク（英語では、Ｗｉｒｅｌｅｓｓ  Ｌｏｃａｌ  Ａｒｅａ  Ｎｅｔｗｏｒｋ，ＷＬＡＮとも称する）、パーソナルネットワーク（英語では、Ｐｅｒｓｏｎａｌ  Ａｒｅａ  Ｎｅｔｗｏｒｋ，ＰＡＮとも称し、ＷＬＡＮよりも小さい）、メトロポリタンエリアネットワーク（英語では、Ｍｅｔｒｏｐｏｌｉｔａｎ  Ａｒｅａ  Ｎｅｔｗｏｒｋ，ＭＡＮとも称し、ＷＬＡＮよりも大きい）、モノのインターネットネットワーク（英語では、Ｉｎｔｅｒｎｅｔ  ｏｆ  Ｔｈｉｎｇｓ，ＩｏＴとも称する）、または、マイクロ波ベースの移動通信システム、たとえばＷｉＭＡＸシステム（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）に相当するものとすることができる。
【００４１】
たとえば、第１の移動通信システムおよび第２の移動通信システムとの通信は、データ（たとえばデータパケット）の受信およびデータの送信を含むことができる。データ伝送は通信に含まれている。たとえば、データ伝送を、データ受信（英語ではＤｏｗｎｌｏａｄとも称する）、または、データ送信（英語ではＵｐｌｏａｄとも称する）に相当するものとすることができる。たとえば、データ伝送を、５０Ｍｂｙｔｅよりも大きい（または１００Ｍｂｙｔｅよりも大きい、２００Ｍｂｙｔｅよりも大きい、５００Ｍｂｙｔｅよりも大きい、１Ｇｂｙｔｅよりも大きい）データ容量を有するデータの伝送に相当するものとすることができる。たとえば、データ伝送を、地図データ、モバイルデバイス１００のコンピュータプログラムのプログラムアップデート、モバイルデバイス１００のオペレーティングシステムのアップデート、ビッグデータ（たとえば、センサデータ、あるいは、モバイルデバイスにより検出または計算されたデータ）、および／または、メディアデータの伝送に相当するものとすることができる。たとえば、時間閾値を、データ伝送のデータ容量に依存させることができる。たとえば、時間閾値を、比較的大きい第１のデータ容量のときには比較的長い第１の時間閾値に相当するものとすることができ、比較的小さい第２のデータ容量のときには、比較的短い第２の時間閾値に相当するものとすることができる。
【００４２】
たとえば、モバイルデバイス１００の現在の貯蔵エネルギーに基づいて、次の貯蔵エネルギー補充予測時点を計算するように、コントロールモジュール１４を構成することができる。別の選択肢として、または、これに加えて、次の貯蔵エネルギー補充予測時点までの（見込まれる）期間を計算するように、コントロールモジュール１４を構成することができ、たとえば１つの期間として、考えられる複数の期間から成るグループの選択として（たとえば１時間よりも短い、１日よりも短い、２日よりも短い、５日よりも短いなど）、または２値判定で（時間閾値を超えたまたは超えていない）計算するように、コントロールモジュール１４を構成することができる。時間閾値をたとえば、絶対的な日付および／または絶対的な時刻とすることができる。別の選択肢として、時間閾値は相対的持続時間を定義することができ、たとえば、コントロールモジュール１４がデータ伝送に関する問い合わせを受け取った時点以降の相対的持続時間を定義することができる。次の貯蔵エネルギー補充予測時点までの期間が時間閾値を超える可能性があるのは、期間が相対的持続時間よりも長い場合であり、または、期間が絶対的な日付／絶対的な時刻よりも後の時点で終わることになる場合である。
【００４３】
たとえば、モバイルデバイス１００のポジションを特定するように、コントロールモジュール１４を構成することができる。たとえば、装置は、ポジション特定モジュール、たとえば衛星ナビゲーションポジション特定モジュールを含むことができる。ポジション特定モジュールを介してモバイルデバイスのポジションを特定するように、コントロールモジュール１４を構成することができる。別の選択肢として、または、これに加えて、たとえば、第１の移動通信システムおよび／または第２の移動通信システムの２つまたはそれよりも多くの基地局までの距離に基づいて、送受信機モジュール１２を介してモバイルデバイスのポジションを特定するように、コントロールモジュール１４を構成することができる。モバイルデバイス１００のポジションに基づき、モバイルデバイス１００の次の貯蔵エネルギー補充予測時点までの期間が時間閾値よりも長いか否かを判定するように、コントロールモジュール１４を構成することができる。たとえば、モバイルデバイスのポジションに基づいて次の貯蔵エネルギー補充予測時点を計算するように、コントロールモジュール１４を構成することができる。たとえば、モバイルデバイスが貯蔵エネルギー補充のために使用される場所の近くに位置しているのか否かに基づき、または、その場所に向かう途上に位置しているのか否かに基づき、次の貯蔵エネルギー補充予測時点を決定するように、コントロールモジュール１４を構成することができる。
【００４４】
たとえば、モバイルデバイスの最後の貯蔵エネルギー補充時点以降の別の期間に基づき、モバイルデバイス１００の次の貯蔵エネルギー補充予測時点までの期間が時間閾値よりも長いか否かを判定するように、コントロールモジュール１４を構成することができる。たとえば、最後の補充時点以降の上述の別の期間に基づいて、次の貯蔵エネルギー補充予測時点を計算するように、コントロールモジュール１４を構成することができる。たとえば、貯蔵エネルギーの補充を記録するように、コントロールモジュール１４を構成することができる。たとえば、時点、頻度、および／または、相前後する補充プロセス間の持続時間を記録するように、コントロールモジュール１４を構成することができる。たとえば、相前後する２つの補充プロセス間の予測持続時間を（たとえば上述の記録に基づき、または補充プロセスに関する統計に基づき）計算するように、コントロールモジュール１４を構成することができる。予測持続時間に基づいて次の貯蔵エネルギー補充予測時点を決定するように、コントロールモジュール１４を構成することができる。予測持続時間に基づき、モバイルデバイス１００の次の貯蔵エネルギー補充予測時点までの期間が時間閾値よりも長いか否かを判定するように、コントロールモジュール１４を構成することができる。たとえば、補充時の平均残余貯蔵エネルギーに基づいて、次の貯蔵エネルギー補充予測時点を計算するように、コントロールモジュール１４を構成することができる。たとえば、補充時の平均残余貯蔵エネルギーに基づいて、モバイルデバイス１００の次の貯蔵エネルギー補充予測時点までの期間が時間閾値よりも長いか否かを判定するように、コントロールモジュール１４を構成することができる。
【００４５】
たとえば、モバイルデバイス１００のエネルギー消費量に基づいて、モバイルデバイス１００の次の貯蔵エネルギー補充予測時点までの期間が時間閾値よりも長いか否かを判定するように、コントロールモジュール１４を構成することができる。たとえば、モバイルデバイス１００のエネルギー消費量に基づいて次の貯蔵エネルギー補充予測時点を決定するように、コントロールモジュール１４を構成することができる。たとえば、エネルギー消費量を、単位時間あたりのエネルギー消費量（または距離あたりのエネルギー消費量）に相当するものとすることができる。たとえば、時間閾値までの予測エネルギー消費量を特定し（推定し）、この予測エネルギー消費量に基づき、モバイルデバイス１００の次の貯蔵エネルギー補充予測時点までの期間が時間閾値よりも長いか否かを判定するように、コントロールモジュール１４を構成することができる。
【００４６】
たとえば、期間が時間閾値よりも長ければ、第１の移動通信システムを介してデータ伝送を開始するように（さらにたとえば第２の移動通信システムとのコネクションを使用できるときには、第２の移動通信システムを介して継続するように）、コントロールモジュール１４を構成することができる。たとえば、期間が時間閾値よりも長ければ、データ伝送のデータを第１の移動通信システムを介して伝送するように、コントロールモジュール１４を構成することができる。たとえば、データ伝送中に周期的に、データ伝送のために第２の移動通信システムが使用可能であるかに否かについてチェックし、データ伝送のために第２の移動通信システムが使用可能であるならば、第２の移動通信システムを介してデータ伝送を継続するように、コントロールモジュール１４を構成することができる。
【００４７】
たとえば、期間が時間閾値よりも短い場合には、データ伝送を延期するように、たとえば、次の貯蔵エネルギー補充まで、第２の移動通信システムとのコネクションが次に使用可能になるまで、または、時間閾値により定義された時点まで延期するように、コントロールモジュール１４を構成することができる。
【００４８】
たとえば、モバイルデバイス１００が第２の移動通信システムのカバーエリア内に位置していれば、第２の移動通信システムとのコネクションを使用することができる。たとえば、データ伝送の発生と時間閾値により定義される時点との間で、第２の移動通信システムとのコネクションが使用可能であれば、データ伝送のために第２の移動通信システムを使用するように、コントロールモジュールを構成することができる。たとえば、第２の移動通信システムとのコネクションが使用可能であるか否かについて／モバイルデバイス１００が第２の移動通信システムのカバーエリア内に位置しているか否かについて、周期的にまたはイベントベースでチェックするように、コントロールモジュール１４を構成することができる。たとえば、第２の移動通信システムとのコネクションが使用可能であれば／モバイルデバイスが第２の移動通信システムのカバーエリア内に位置していれば、データ伝送を実施するように、コントロールモジュール１４を構成することができる。モバイルデバイス１００が、時間閾値により定義された時点まで第２の移動通信システムのカバーエリア内に位置していなければ（時間閾値により定義された時点まで第２の移動通信システムとのコネクションが使用可能でなければ）、データ伝送のために第１の移動通信システムを使用するように、コントロールモジュール１４を構成することができる。
【００４９】
たとえば、モバイルデバイス１００が次の貯蔵エネルギー補充予測時点に第２の移動通信システムのカバーエリア内に位置している確率が、確率閾値よりも小さいか否かを判定するように、コントロールモジュール１４をさらに構成することができる。たとえば、モバイルデバイス１００が次の貯蔵エネルギー補充予測時点に第２の移動通信システムのカバーエリア内に位置している確率を計算するように、コントロールモジュール１４を構成することができる。たとえば、貯蔵エネルギー補充時に（そのたびに）、モバイルデバイス１００が第２の移動通信システムのカバーエリア内に位置しているか否かをチェックおよび／または記録するように、コントロールモジュール１４を構成することができる。たとえば、モバイルデバイス１００が次の補充プロセスのときに第２の移動通信システムのカバーエリア内に位置している、ということについて、（たとえば先行するすべての補充プロセスに基づき、ある期間内の補充プロセスに基づき、または予め定められた量の先行する補充プロセスに基づき）、平滑化確率を計算するように、コントロールモジュール１４を構成することができる。たとえば、モバイルデバイス１００が次の貯蔵エネルギー補充予測時点に第２の移動通信システムのカバーエリア内に位置している確率が、確率閾値よりも小さいか否かを、モバイルデバイスのポジションに基づき判定するように、コントロールモジュール１４をさらに構成することができる。たとえば、この確率が確率閾値よりも小さければ、データ伝送のために第１の移動通信システムを使用するように、コントロールモジュールをさらに構成することができる。たとえば、第１の移動通信システムを介して、または第２の移動通信システムを介して、データ伝送が実施または開始されるのかを、確率に基づきおよび期間に基づき判定するように、コントロールモジュール１４をさらに構成することができる。たとえば、期間が時間閾値よりも長ければ、および／または、確率が確率閾値よりも小さければ、データ伝送のために第１の移動通信システムを使用するように、コントロールモジュール１４を構成することができる。たとえば、確率閾値を割合に応じた確率に相当するものとすることができ、たとえば７０％または０．７に相当するものとすることができる。
【００５０】
相当数の実施例によれば、モバイルデバイスをたとえば乗物に相当するものとすることができ、たとえば、自動車、トラック、オートバイ、船舶、列車、または、自律走行車両に相当するものとすることができる。たとえば、モバイルデバイス１００の貯蔵エネルギーの補充を、電気エネルギー、液体燃料、ガソリン、ディーゼル、天然ガス、液化石油ガス、または、水素による貯蔵エネルギーの補充に相当するものとすることができる。
【００５１】
たとえば、車両において見込まれる次の車両点検インターバルまでの別の期間が時間閾値よりも長いか否かを判定するように、コントロールモジュール１４をさらに構成することができる。たとえば、エラー状態に基づき、保守状態に基づき、またはモバイルデバイス１００の点検インターバルに基づき、この別の期間を計算するように、コントロールモジュール１４を構成することができる。たとえば、前述の期間およびこの別の期間が時間閾値よりも長ければ、データ伝送のために第１の移動通信システムを使用するように、コントロールモジュール１４を構成することができる。
【００５２】
別の選択肢として、モバイルデバイス１００を移動電話、プログラミング可能な移動電話（たとえばスマートフォン）、プログラミング可能な時計、または、タブレットコンピュータに相当するものとすることができる。たとえばモバイルデバイス１００の貯蔵エネルギーの補充を、電気エネルギーによる貯蔵エネルギーの補充に相当するものとすることができる。たとえば貯蔵エネルギーの補充を、充電電源へのモバイルデバイスの接続に相当するものとすることができる。たとえば貯蔵エネルギーの補充を、ワイヤレス充電プロセスに相当するものとすることができる。
【００５３】
実施例によれば、モバイルデバイス１００のための装置を含むモバイルデバイス１００が提供される。コントロールモジュール１４は、送受信機モジュール１２と接続されている。実施例によれば、送受信機モジュール１２は、一般的な送信機構成部品または受信機構成部品を含むことができる。そのような構成部品には、たとえば、１つまたは複数のアンテナ、１つまたは複数のフィルタ、１つまたは複数のミキサ、１つまたは複数のアンプ、１つまたは複数のダイプレクサ、１つまたは複数のデュプレクサ等を含めることができる。実施例によれば、コントロールモジュール１４を、任意のコントローラまたはプロセッサ、または、プログラミング可能なハードウェア構成部品に相当するものとすることができる。たとえば、送受信機モジュール１２は、２つの別個の送受信機サブモジュールを含むことができ、たとえば、第１の移動通信システムと通信するための第１の送受信機サブモジュールと、第２の移動通信システムと通信するための第２の送受信機サブモジュールとを含むことができる。たとえば、コントロールモジュール１４を、相応のハードウェア構成部品のためにプログラミングされたソフトウェアとして実現することもできる。この点ではコントロールモジュール１４を、相応に整合されたソフトウェアを含むプログラミング可能なハードウェアとして実装することができる。その際に、ディジタル信号プロセッサ（ＤＳＰ）のような任意のプロセッサを使用することができる。この場合、実施例は特定のタイプのプロセッサに限定されない。コントロールモジュール１４を実装するために、任意のプロセッサを想定することができ、または、複数のプロセッサを想定することもできる。
【００５４】
実施例によれば、たとえば、貯蔵燃料に依存してデータコネクションを優先順位付けするシステムおよび方法が提供される。
【００５５】
車両におけるモバイルデータに対する要求は、今後もいっそう大きくなっていくであろう。ただし、移動無線ネットワークを介したモバイルデータコネクションの欠点は、他のデータサービス（たとえば一般に「一律に」（使用量に左右されずに）決済される屋内のインターネット接続）と対比すると比較的高価なことである。それにもかかわらず、自動車を取り巻く環境では移動無線支援型データサービスにときには頼らざるを得ない。
【００５６】
少なくとも相当数の実施例によって述べられているシステムおよび方法は、移動無線支援型データサービスに頼るのを、貯蔵燃料に依存して延期し、いっそう安価なデータコネクションを使用できる確率を高めている。
【００５７】
少なくとも相当数のシステムは、高価な移動無線データコネクションを回避するために、他のデータサービス一般にはＷＬＡＮに頼る手法を用いている。安価なＷＬＡＮコネクションがいつ使用可能になるのかが、事前には必ずしもわかっていないことが多い。少なくとも相当数の実施例は、ＷＬＡＮに頼ることに基づいている。別の選択肢として、相当数のシステムによれば、高価なデータコネクションの使用を、それよりも安価なデータコネクションが一時的に使用可能になることに望みを託して、高価なデータコネクションの使用が不可避になるまでの間、延期することができる。高価なデータコネクションの使用を延期する際に、もっと安価なデータコネクションが使用可能であるのか否か、および、それがいつ使用可能であるのか、を予想できないことが多い。使用可能なケースに一度も至らないとしたならば、多くの場合には無駄に時間を浪費したことになる。別の選択肢として、移動無線プロバイダがデータ利用のためにいっそう安価な条件を提供する時点まで、たとえば夜間まで、データ伝送を延期することができる。しかしながら、移動無線プロバイダが実際にはどのようなケースでも夜間にいっそう安価な料金を提供する、とは言っていないことも多い。しかも、予測可能な時間内に無料のデータコネクションが高い確率で使用可能になる、ということが保証されているならば、いっそう安価なコストさえもが放棄される可能性すらある。
【００５８】
少なくとも相当数の実施例によれば、多数の補給所において、将来は車両が利用可能なＷＬＡＮネットワークが使用できるようになる可能性もある。
【００５９】
図２には、ＷＬＡＮ送受信モジュール（ＷＬＡＮ送受信機２２０）を含むデータ通信装置２２０と、移動無線（２Ｇ，３Ｇ，ＬＴＥなど）のための送受信装置（移動無線送受信機２３０）を含むデータ通信装置２３０とを備えた装置のブロック図が示されている。少なくとも移動無線送受信機２３０を、バックエンド２４０（たとえば車両メーカのサーバまたはコンピュータセンタ）と通信するように、構成することができる。たとえば、図１の送受信機モジュール１２は、データ通信装置２２０；２３０を含むことができ、または、それらを実装することができる。この装置はさらに、燃料充填レベル用のセンサ２７０と、両方のシステムと接続された計算ユニットおよび記憶ユニット（２１０；２６０、たとえばコントロールモジュール１４）とを含むことができる。車両バス２５０を介して、データコネクションを使用する必要のあるさらに別の制御装置を、計算ユニット２１０と接続することができる。
【００６０】
燃料充填レベルが正に変化すると（＝車両が補給されると）（たとえば即座に）、同時にまたは短時間の間隔をおいてＷＬＡＮコネクションが存在するか否かをチェックするように、計算ユニットを構成することができる。ＷＬＡＮコネクションが存在するのであれば、記憶ユニット内の（ＷＬＡＮコネクションの存在に関する）「確率指標」を１０だけ上昇させることができ、これはたとえばこの指標が１００に達しないかぎり行われる。補給プロセス中、ＷＬＡＮコネクションが近くになければ、記憶ユニット内の「確率指標」を１０だけ低減することができ、これはこの指標が０に達しないかぎり行われる。少なくとも１０回の補給プロセス後、過去の補給プロセスにおいて何パーセントのケースでＷＬＡＮデータコネクションが使用可能であったのか、という統計を出すことができる。たとえば、直前の１０回の補給プロセスの時点を記憶ユニットに格納して、２つの補給プロセス間の平均時間を記録することができる。
【００６１】
たとえば、データのアップロードまたはダウンロード（車両からサーバへのデータ伝送またはサーバから車両へのデータ伝送）の要求を、たとえば、車両自体から行うことができ、または、移動無線コネクションを介してバックエンドからトリガすることができる。
【００６２】
車両において、比較的大きいデータ量のアップロードまたはダウンロードに対する要求がある場合、燃料充填レベルと、２つの補給プロセス間の平均時間（つまりは次の補給プロセスまでに予期される時間）と、補給プロセス中にＷＬＡＮデータコネクションが使用可能である確率とに依存して、規定された時間内に再びＷＬＡＮデータコネクションを使用できる確率がどのくらい高いのかを、計算ユニット（たとえば図１のコントロールモジュール１４）が高精度に予測することができる（計算ユニットをそのように構成することができる）。この情報を、アップロードおよびダウンロードのアクティビティのプラニングに役立たせることができ、多くのケースにおいて、コストのかかる移動無線データコネクションを回避するのに役立たせることができる。
【００６３】
「貯蔵燃料」（または貯蔵エネルギー）はたとえば、ガソリン、ディーゼル、天然ガス、液化石油ガス（ＬＰＧ）のような古典的な（化石）燃料または水素を指すことができるだけでなく、トラクションバッテリの充電状態を指すこともできる。補給中にＷＬＡＮデータコネクションが使用可能である確率に対する計算式が、ここでは例示的に選択されており、任意に複雑にも大雑把にも簡略化することもできる。同様に、次の補給プロセスまでに必要とされるであろう時間に対する計算式も、ここでは例示的になされているにすぎず、必要に応じて別のセンサデータを用いることで、精度を高めることができる。たとえば、ＷＬＡＮが高い確率で使用可能になるであろう特定のポイントに車両が向かうことになる他の時点も、考慮に入れることができる。これについての具体例を挙げるとすれば、予定されている保守インターバルであり、または、高い確率でまもなく工場に向かわなければならないような故障の検出である。
【００６４】
この場合、（どのような種類であれ）燃料の供給は、今後も、比較的安定したインターバルで、車両の日常において必要とされるプロセスであり続ける可能性があり、たとえばそれを、データ伝送を（同時に）実施するために利用することができる。これと同時に、多くの人々は、補給所またはブランドに忠実で変えることがないので、補給プロセスｘにおいて、ＷＬＡＮネットワークが使用可能であるならば、補給プロセスｘ＋１においてもＷＬＡＮネットワークが使用可能になる確率が高い、ということを前提とすることができる。
【００６５】
少なくとも相当数の実施例によれば、高度な予測性を実現することができ、それによって車両を取り巻く環境において予定されているアップロードまたはダウンロードのアクティビティの良好なプラニングを実現することができる。少なくとも相当数の実施例によれば、コストがいっそう安価な移動無線の時間にやむを得ず振り替える代わりに、ＷＬＡＮの可用性に基づくプラニングによって、コストがいっそう安価なデータコネクションを実現することができる。
【００６６】
これまで（たとえば図１および図１ａを参照しながら）説明してきたコンセプトまたは具体例と関連させて、システム、装置および方法のさらに詳細な点および態様を挙げておく。システム、装置および／または方法は、任意選択肢となる１つまたは複数の付加的な特徴を含むことができ、それらの特徴は、これまで説明してきたような、またはこれから説明するような、提案したコンセプトまたは既述の具体例の１つまたは複数の態様に対応するものである。
【００６７】
１つの別の実施例はコンピュータプログラムであり、このコンピュータプログラムは、これがコンピュータ、プロセッサまたはプログラミング可能なハードウェア構成部品において実行されるときに、上述の方法のうち少なくとも１つの方法を実施する。さらに別の実施例はディジタル記憶媒体でもあり、これは、機械読み取り可能またはコンピュータ読み取り可能であって、電子的に読み取り可能な制御信号を有しており、上述の方法のうち１つの方法が実施されるように、プログラミング可能なハードウェア構成部品と共働可能である。
【００６８】
これまで述べてきた説明、以下に記載する特許請求の範囲、および、添付の図面に開示された特徴は、単独でも、また、それらの様々な形態で１つの実施例を実現するために任意の組みあわせであっても、重要なものとなり得るし、実現可能なものである。
【００６９】
多くの態様を装置と関連させて説明してきたが、自明のとおり、それらの態様は対応する方法の説明を意味するものでもあり、したがって、ある装置の１つのブロックまたは１つの構成要素は対応する方法の１つのステップまたは方法の１つのステップの特徴として理解することもできる。これと同様に、方法の１つのステップと関連させて、または、方法の１つのステップとして説明した態様は、対応する装置の対応する１つのブロックまたは細部または特徴の説明を意味するものでもある。
【００７０】
特定の実装要求に応じて、本発明の実施例をハードウェアとしてもソフトウェアとしても実装することができる。この場合、実装を、ディジタル記憶媒体たとえばフロッピーディスク、ＤＶＤ、ブルーレイディスク、ＣＤ、ＲＯＭ、ＰＲＯＭ、ＥＰＲＯＭ、ＥＥＰＲＯＭまたはフラッシュメモリ、ハードディスクまたは他の磁気記憶装置または光学記憶装置を用いて実施することができ、この媒体には電子的に読み取り可能な制御信号が記憶されていて、この制御信号は、個々の方法が実施されるように、プログラミング可能なハードウェア構成部品と共働可能でありまたは共働する。
【００７１】
プログラミング可能なハードウェア構成部品を、プロセッサ、コンピュータプロセッサ（ＣＰＵ＝Ｃｅｎｔｒａｌ  Ｐｒｏｃｅｓｓｉｎｇ  Ｕｎｉｔ）、グラフィックプロセッサ（ＧＰＵ＝Ｇｒａｐｈｉｃｓ  Ｐｒｏｃｅｓｓｉｎｇ  Ｕｎｉｔ）、コンピュータ、コンピュータシステム、特定用途向け集積回路（ＡＳＩＣ＝Ａｐｐｌｉｃａｔｉｏｎ−Ｓｐｅｃｉｆｉｃ  Ｉｎｔｅｇｒａｔｅｄ  Ｃｉｒｃｕｉｔ）、集積回路（ＩＣ＝Ｉｎｔｅｇｒａｔｅｄ  Ｃｉｒｃｕｉｔ）、ワンチップシステム（ＳＯＣ＝Ｓｙｓｔｅｍ  ｏｎ  Ｃｈｉｐ）、プログラマブルロジック素子またはマイクロプロセッサを備えたフィールドプログラマブルゲートアレイ（ＦＰＧＡ＝Ｆｉｅｌｄ  Ｐｒｏｇｒａｍｍａｂｌｅ  Ｇａｔｅ  Ａｒｒａｙ）によって形成することができる。
【００７２】
よって、ディジタル記憶媒体を、機械読み取り可能またはコンピュータ読み取り可能とすることができる。したがって、相当数の実施例は、電子的に読み取り可能な制御信号を有するデータ担体を含んでおり、それらの制御信号は、本明細書で説明した方法のうちの１つが実施されるように、プログラミング可能なコンピュータシステムまたはプログラミング可能なハードウェア構成部品と共働することができる。このため１つの実施例は、本明細書で説明した方法のうち１つの方法を実施するプログラムが記録されているデータ担体（またはディジタル記憶媒体またはコンピュータ可読媒体）である。
【００７３】
一般的には本発明の実施例を、プログラムコードを含むプログラム、ファームウェア、コンピュータプログラムまたはコンピュータプログラム製品として、あるいは、データとして、実現可能であり、その際、プログラムコードまたはデータは、プログラムがプロセッサまたはプログラミング可能なハードウェア構成部品において実行されると、既述の方法のうち１つの方法を実施するように動作する。プログラムコードまたはデータを、たとえば、機械可読担体またはデータ担体に記憶させておくこともできる。プログラムコードまたはデータを、特にソースコード、機械コードまたはバイトコードとして、および、他の中間コードとして、存在させることができる。
【００７４】
１つの別の実施例はさらに、本明細書で説明した方法のうち１つの方法を実施するプログラムを表現するデータストリーム、信号列または信号シーケンスである。データストリーム、信号列または信号シーケンスをたとえば、データ通信コネクションを介して、たとえば、インターネットまたは他のネットワークを介して転送されるように、構成することができる。したがって、実施例はデータを表す信号列でもあり、これらの信号列は、ネットワークまたはデータ通信コネクションを介して伝送するのに適しており、この場合、データはプログラムを表現している。
【００７５】
１つの実施例によるプログラムは、既述の方法のうち１つの方法をその実施中にたとえば以下のようにして実装することができる。すなわち、このプログラムはメモリロケーションを読み出し、または、メモリロケーションに１つまたは複数のデータを書き込み、それにより必要に応じてスイッチングプロセスまたはその他のプロセスが、トランジスタ構造、増幅器構造、または、その他の電気的、光学的、磁気的、または、他の機能原理に従い動作する構成素子において引き起こされる。これに応じてメモリロケーションの読み出しにより、データ、値、センサ値、または他の情報を、プログラムによって捕捉、検出または測定することができる。したがって、プログラムは、１つまたは複数のメモリロケーションの読み出しによって、量、値、測定量および他の情報を捕捉、検出または測定することができ、１つまたは複数のメモリロケーションへの書き込みによって、あるアクションを生じさせる、引き起こす、または実施することができ、さらには別のデバイス、機械および構成部品の動作を制御することができる。
【００７６】
上述の実施例は、本発明の基本原理を具体的に示したにすぎない。自明のとおり、本明細書で説明した装置構成および細部の修正および変形について、他の当業者は十分に理解できる。よって、ここで意図しているのは、本発明は以下に記載する特許請求の範囲の権利範囲によってのみ限定されるものであって、実施例の記載および説明に基づき本明細書で呈示した特定の細部によって限定されるものではない、ということである。
【符号の説明】
【００７７】
１０  装置
１２  送受信機モジュール
１４  コントロールモジュール
１００  モバイルデバイス
１１０  期間が時間閾値よりも短いか否かを判定すること
１２０  第１の移動通信システムを使用すること
１３０  第２の移動通信システムを使用すること
２１０  計算ユニット
２２０  ＷＬＡＮ送受信機
２３０  移動無線送受信機
２４０  バックエンド
２５０  車両バス
２６０  記憶ユニット
２７０  貯蔵燃料用センサ
【図１】
2018148559.tif 000003
【図１ａ】
2018148559.tif 000004
【図２】
2018148559.tif 000005
【外国語明細書】
2018148559.tif 000006
2018148559.tif 000007
2018148559.tif 000008
2018148559.tif 000009
2018148559.tif 000010
2018148559.tif 000011
2018148559.tif 000012
2018148559.tif 000013
2018148559.tif 000014
2018148559.tif 000015
2018148559.tif 000016
2018148559.tif 000017
2018148559.tif 000018
2018148559.tif 000019
2018148559.tif 000020
2018148559.tif 000021
2018148559.tif 000022
2018148559.tif 000023
2018148559.tif 000024
2018148559.tif 000025
2018148559.tif 000026
2018148559.tif 000027
2018148559.tif 000028
2018148559.tif 000029
2018148559.tif 000030
2018148559.tif 000031
2018148559.tif 000032